(57)【要約】【課題】読取装置片持ち支持機構において、読取装置端部の下方への落ち込みを修正する。【解決手段】作像装置１上部に突出形成された排紙部１−１に読取装置３の一端部が載置されており、作像装置１と読取装置３の間の空間部には、垂直脚１１と水平脚１２を有し、水平脚１２は奥側端部が垂直脚１１によって支持されている支持構造部４が読取装置３の他端と対向して設けてある画像形成装置において、水平脚１２と読取装置３の距離を調整する調整部２５、２６を備えた。【選択図】図１
2007248787.tif 000002
【特許請求の範囲】
【請求項１】
作像装置と、該作像装置の一端部から上方に突出された排紙部と、該排紙部上に固定されることにより作像装置との間の排紙用の空間を介して作像装置と対向配置された読取装置と、該作像装置の他の部位から上方に延びる垂直脚と、該垂直脚上部に固定されて該読取装置の一部を支持する水平脚と、前記水平脚と前記読取装置との高さ方向距離を調整する調整部と、を備えたことを特徴とする画像形成装置。
【請求項２】
請求項１記載の画像形成装置において、前記調整部は、調整ネジと操作綸とから構成されることを特徴とする画像形成装置。
【発明の詳細な説明】
【技術分野】
【０００１】
本発明は、画像形成装置に関し、特に、読取装置と作像装置との間に空間があり、読取装置の一端を支持構造部で支持する読取装置片持ち支持機構の画像形成装置に関する。
【背景技術】
【０００２】
図４は読取装置片持ち支持機構の画像形成装置の構成図である。作像装置１の上部に突出形成された排紙部１−１に読取装置３の一端部下面が載置されており、作像装置１と読取装置３との間に排紙用の空間部Ｓが形成されている。この空間部Ｓには排紙トレイ２が設けてあり、空間部の内壁には排紙口２ａが設けられている。空間部には、読取装置３の他端と対向して、読取装置３の他端を支持する支持構造部４が設けてある。
図５は支持構造部の斜視図である。支持構造部４は、垂直脚１１と、垂直客１の上部に固定された水平脚１２と、を有している。水平脚１２は奥側端部が垂直脚１１によって支持されている。
【発明の開示】
【発明が解決しようとする課題】
【０００３】
水平脚１２が読取装置３の底面と接触することになるが、水平脚１２の手前側端部１２−１は下方から支持されていないので、読取装置３の荷重がこの部分に掛かる。特に、原稿を読取装置３に押し付けたり、原稿カバーを閉じる際にユーザーの力が加わると、読取装置３の端部が下方に変移し、読取画像が歪んでしまう不具合がある。
本発明は、斯かる読取装置片持ち支持機構において、読取装置端部の下方への落ち込みを修正することができる画像形成装置を提供することを目的とする。
【課題を解決するための手段】
【０００４】
上記目的を達成するために、請求項１記載の発明は、作像装置と、該作像装置の一端部から上方に突出された排紙部と、該排紙部上に固定されることにより作像装置との間の排紙用の空間を介して作像装置と対向配置された読取装置と、該作像装置の他の部位から上方に延びる垂直脚と、該垂直脚上部に固定されて該読取装置の一部を支持する水平脚と、前記水平脚と前記読取装置との高さ方向距離を調整する調整部と、を備えたことを特徴とする。
請求項２の発明は、請求項１記載の画像形成装置において、前記調整部は、調整ネジと操作綸とから構成されることを特徴とする。
【発明の効果】
【０００５】
本発明によれば、作像装置上部に突出形成された排紙部に読取装置の一端部が載置されており、作像装置と読取装置の間の空間部には、垂直脚と水平脚を有し、水平脚は奥側端部が垂直脚によって支持されている支持構造部が読取装置の他端と対向して設けてある画像形成装置において、水平脚と読取装置の距離を調整する調整部を備えたので、読取装置端部の下方への落ち込みを修正することができる。
【発明を実施するための最良の形態】
【０００６】
以下、図面を参照して、本発明の実施形態を詳細に説明する。なお、図４、図５を併せて参照しつつ説明する。
図１は本発明の実施の形態に係る画像形成装置の要部斜視図である。支持構造部４の水平脚１２の手前側端部１２−１には、起立片２１が設けてあり、その中央には固定ネジ用の上下に伸びる固定ネジ嵌合穴２２が形成されている。即ち水平脚１２は、下向きの凹部２４と、凹部２４の両端部から水平に張り出した張出し板を有し、一方の張出し板には起立片２１が上方に屈曲形成されている。起立片２１には上下方向へ延びる長穴としての固定ネジ嵌合穴２２が形成されている。
【０００７】
この嵌合穴２２を介して、外方から固定ネジ２３が読取装置３に螺合されており、これによって読取装置３は水平脚１２に固定される。しかし、固定ネジ２３は長穴形状の固定ネジ嵌合穴２２に嵌合されているので読取装置３及びこれに固定される固定ネジ２３は上下に移動することができる。
ここで固定ネジ嵌合穴２２は、長穴形状でなくともよい。ネジの径よりも大きい円形でもよい。要は固定ネジ２３が上下に移動できればよい。
また、支持構造部４の水平脚１２の手前側端部１２−１には、調整部収容用の凹部２４が形成され、この部分に、読取装置３の手前側端部の高さを調整する調整部が収容されるようになっている。調整部は、調整ネジ２５と、調整ネジ２５に中心部を固定（或いは回転自在に螺合）した操作輪２６と、から構成される。
【０００８】
調整ネジ２５は、読取装置３の底部に設けたネジ穴に螺合されており、操作輪２６を例えば矢印Ａ方向に回動することで、水平脚１２に対する読取装置３の手前側端部を持ち上げ、その高さを正常な位置に調整することができる。
ここで、読取装置３を固定ネジ２３で水平脚１２に固定せずに、調整ネジ２５を介して、読取装置３を水平脚１２に載置してもよい。
【０００９】
このように本発明の画像形成装置は、作像装置１と、該作像装置の一端部から上方に突出された排紙部１−１と、排紙部上に固定されることにより作像装置との間の排紙用の空間Ｓを介して作像装置と対向配置された読取装置３と、該作像装置の他の部位から上方に延びる垂直脚１１と、該垂直脚上部に固定されて該読取装置の一部を支持する水平脚１２と、水平脚と読取装置との高さ方向距離を調整する調整部と、を備えた構成が特徴的である。
【００１０】
図２は図１に示す調整部を被覆した例を示す読取装置の斜視図である。調整部をカバー３１で被覆することで、不要に操作されるのを防止している。
【００１１】
図３は図１に示す調整部を露出した例を示す読取装置の斜視図である。調整部の操作輪２６をカバー３１に設けたスリットを介して露出、突出させ調整操作をしやすくしている。
【図面の簡単な説明】
【００１２】
【図１】本発明の実施の形態に係る画像形成装置の要部斜視図である。
【図２】図１に示す調整部を被覆した例を示す読取装置の斜視図である。
【図３】図１に示す調整部を露出した例を示す読取装置の斜視図である。
【図４】読取装置片持ち支持機構の画像形成装置の構成図である。
【図５】支持構造部の斜視図である。
【符号の説明】
【００１３】
１  作像装置
３  読取装置
４  支持構造部
１１  垂直脚
１２  水平脚
２５  調整ネジ(調整部)
２６  操作輪(調整部)
【図１】
2007248787.tif 000003
【図２】
2007248787.tif 000004
【図３】
2007248787.tif 000005
【図４】
2007248787.tif 000006
【図５】
2007248787.tif 000007